(57)【要約】      （修正有）【課題】ＣＦカードの内設回路基板の接続電極とソケットのコンタクトとの接続を確実にし、カードやコネクタの組立の容易化と操作性や特性の向上を図る。【解決手段】ＣＦＡ規格対応のコンパクトフラッシュ（登録商標）カード３を、両面に相互に短絡するシールド板１３２が露出し、幅方向両側面１’の相手側コネクタ装置への挿入側に異なる幅の案内溝を備え、前記幅方向両側面１’の前記案内溝の形成域を除く領域に、該幅方向両側面から前記各シールド板１３２の少なくとも端辺１３２ｂが露出する位置まで除去された台形状凹部３ａを備えているように構成する。【選択図】図５
2006351033.tif 000002
【特許請求の範囲】
【請求項１】
両面には相互に短絡するシールド板が露出し、幅方向両側面の相手側コネクタ装置への挿入側には異なる幅の案内溝が備えられたＣＦＡ規格対応のコンパクトフラッシュ（登録商標）カードであって、
前記幅方向両側面の前記案内溝の形成域を除く領域に、該幅方向両側面から前記各シールド板の少なくとも端辺が露出する位置まで除去された台形状凹部を備えていることを特徴とするコンパクトフラッシュ（登録商標）カード。
【請求項２】
請求項１記載のコンパクトフラッシュ（登録商標）カードを前記幅方向両側辺と各該側辺近傍でのガイドで逆挿入不能に案内するガイド部を備えたコネクタ装置であって、
前記ガイド部外面側からの該ガイド部への圧入で該ガイド部に固着できる接地端子を備えてなり、
前記接地端子が、挿入時の前記コンパクトフラッシュ（登録商標）カードの前記台形状凹部と対応する位置に、前記シールド板の少なくとも端辺に当接できる接続コンタクトを有していることを特徴とするコンパクトフラッシュ（登録商標）カードのコネクタ装置。
【請求項３】
請求項１記載のコンパクトフラッシュ（登録商標）カードを前記幅方向両側辺と各該側辺近傍でのガイドで逆挿入不能に案内するガイド部を備えたコネクタ装置であって、
前記ガイド部内面側からの該ガイド部への圧入で該ガイド部に固着できる接地端子を備えてなり、
前記接地端子が、挿入時の前記コンパクトフラッシュ（登録商標）カードの前記台形状凹部と対応する位置に、前記シールド板の少なくとも端辺に当接できる接続コンタクトを有していることを特徴とするコンパクトフラッシュ（登録商標）カードのコネクタ装置。
【発明の詳細な説明】
【技術分野】
【０００１】
本発明は厚さが従来のＩＣカードよりも厚いコンパクトフラッシュ（登録商標）カードと該コンパクトフラッシュ（登録商標）カードに対応するコネクタの構成に係わり、特にコンパクトフラッシュ（登録商標）カードやコネクタとしての組立の容易化と操作性及び特性の向上を図ったコンパクトフラッシュ（登録商標）カードとそのコネクタ装置に関する。
【０００２】
電子技術の進展に伴う情報量増大や特性向上等の顧客要請に対応させるため、ＩＣカードとしても従来のものより厚いコンパクトフラッシュ（登録商標）カード（以下文中ではＣＦカードとする）が実用化されつつあると同時に、該ＣＦカード用のコネクタとしても主要部分の寸法をＣＦＡ（Compact Flash Association)規格に対応させたもの等が種々実用化されるようになってきている。
【背景技術】
【０００３】
図２０は従来のＣＦカードの一例を概略的に説明する図であり、図２１は図２０におけるソケットを内設回路基板と共に説明する図、図２２は図２０の第１フレームを説明する図、図２３は図２０のシールド板を説明する図、図２４は図２０の第１フレーム完成体を説明する図、図２５は図２０の第２フレームを説明する図、図２６は図２０の第２フレーム完成体を説明する図、図２７は図２０のＣＦカードの組立状態を説明する図である。
【０００４】
また、図２８は従来のコネクタ装置を概略的に説明する図であり、図２９は従来のＣＦカードとコネクタ装置間の接続状態を説明する図、図３０は従来のＣＦカードにおける問題点を説明する図、図３１は従来のコネクタ装置における問題点を説明する図である。
【０００５】
なお図では、コネクタ装置が回路基板実装用のコネクタである場合を例として説明する。
【０００６】
従来のＣＦカード１を示す図２０で、（ａ）は全体を一部切断視した斜視図であり、（ｂ）は切断視した図示領域を矢印ａのように平面視した図であり、（ｃ）は（ｂ）図を矢印ａ1〜ａ1′で切断したときの断面を示した図である。
【０００７】
図２０で従来のＣＦカード１は、上記ＣＦＡ規格に適合するソケット端子１１１が該ＣＦＡ規格に合致するように配置されてなるソケット１１と、上記ソケット端子１１１に繋がる内設回路基板１２と、第１フレーム１３１とシールド板１３２とからなる第１フレーム完成体１３と、第２フレーム１４１ともう一つの上記シールド板１３２とからなる第２フレーム完成体１４とで構成されている。
【０００８】
そして上記第１フレーム完成体１３と第２フレーム完成体１４とを上記ソケット１１を長手方向と平行する両側面で挟んで密着固定させることで、該ソケット１１の相手コネクタに対する接続領域Ａが端面に露出し且つ上記内設回路基板１２が上記２個のシールド板間に絶縁を保って位置させられる所要のＣＦカード１が図示のように構成できるようになっている。
【０００９】
そしてかかるＣＦカード１では、上記接続領域Ａの長手方向両側の側壁面１′，１″に、上記ＣＦＡ規格で規定された幅“ｗ1”と“ｗ2”で所定深さの案内案内溝１ａ，１ｂが上記接続領域Ａ側の端面から所定長さに形成されていると同時に、上記第１フレーム完成体１３側のシールド板１３２と第２フレーム完成体１４側のシールド板１３２とはそれぞれの四隅近傍の対応位置に突出して設けた舌片１３２ａの当接によって導通するようになっている。
【００１０】
そして、上記側壁面１′側の案内案内溝１ａの上記幅“ｗ1”と側壁面１″側の案内溝１ｂの上記幅“ｗ2”とは“ｗ1＜ｗ2”が成立するようになっている。
【００１１】
なお上記第１フレーム完成体１３と第２フレーム完成体１４とは、第１フレーム完成体側の上記第１フレーム１３１の該第２フレーム完成体との当接面１３１-1（図では上面）の四隅近傍に突出して設けた突起１３１ａと、第２フレーム完成体側の上記第２フレーム１４１の第１フレーム完成体との当接面１４１-1（図では下面）の該突起対応位置に設けた図示されない凹孔との嵌合で相互間の位置決めが実現できるようになっている。
【００１２】
ここで理解し易くするため、図２１乃至図２６で上記各構成部材のそれぞれを詳細に説明する。
【００１３】
ソケットと内設回路基板を実装時の状態で説明する図２１で、（ａ）は全体斜視図であり（ｂ）は平面図（ｃ）はその側面図である。
【００１４】
図で上記ＣＦＡ規格で規定されたソケット１１は、規格化された２種類各複数個のソケット端子１１１と、規格化された絶縁体１１２とからなる。
【００１５】
そしてこの場合のソケット端子１１１は、一端が図示されないソケットコンタクトで他端が内設回路基板１２に対応する基板コンタクト１１１ａに形成され、上記ソケットコンタクトの領域を所定ピッチで二列に整列するように上記絶縁体１１２に植設したときに該絶縁体の底面１１２ａから突出する上記基板コンタクト１１１ａの領域が同一面上に等ピッチで整列するように形成されているものである。
【００１６】
また上記絶縁体１１２は、その長手方向の各端面１１２ｂに該絶縁体ひいてはソケット１１を上記各フレーム完成体１３，１４に位置決めするための突起１１２ｃが上記底面１１２ａと一致する位置に設けられていると共に、該突起１１２ｃを除く領域の端子行方向すなわち幅方向側面１１２ｄそれぞれには上記底面側が凹んだ凹の段差面１１２ｅが形成されているものである。
【００１７】
また上記ＣＦＡ規格で規定された内設回路基板１２の所定の端辺近傍には、上記ソケット１１の各基板コンタクト１１１ａと対応する接続電極１２ａが図示されない回路に繋がった状態で形成されている。
【００１８】
従って、上記基板コンタクト１１１ａと上記接続電極１２ａとを合致させた状態で例えば通常のはんだ接続手段等で両者を接続することで、図示のようにソケット１１を内設回路基板１２に実装することができる。
【００１９】
一方上記第１フレームを説明する図２２で、（ａ）は前記第２フレームに対する当接面を上面とする平面図であり（ｂ）はその裏面図である。
【００２０】
図２２で方形枠の一辺の中央部が長さ“ｂ1”だけ切除され結果的に平面視が角張った“Ｃ”字形をなすこの場合の第１フレーム１３１は、内法サイズが少なくとも上記内設回路基板１２を越える大きさで外形サイズが上記ＣＦＡ規格で規定され、且つ厚さが上記ソケット１１の絶縁体幅のほぼ１／２に形成されているものである。
【００２１】
なお上記切除長さ“ｂ1”は、図２１のソケット絶縁体１１２の突起１１２ｃを除く長手方向長さ“ｂ2”に対応するようになっている。
【００２２】
更に、上記切除によって生ずる突出片１３１ｂには、上記切除域に上記ソケット１１をそのソケットコンタクト側が露出するように前記第２フレームに対する当接面１３１-1側から嵌め込んだときの絶縁体１１２の上記突起１１２ｃと対応するそれぞれの領域に、該突起１１１ｃの厚さ方向のほぼ半分だけの嵌入で該絶縁体が位置決めできる凹の段差面１３１ｃが図（ａ）で示すように上記当接面１３１-1側に形成されているが、上記突起１１１ｃよりも長く形成されている該各凹の段差面１３１ｃの最奥部には該凹の段差面から図（ｂ）で示す裏面側に達する貫通孔１３１ｄが形成されている。
【００２３】
また上記各突出片１３１ｂに繋がる枠片１３１ｅ1と１３１ｅ2のそれぞれには、上記当接面１３１-1とそれぞれの外面１３１′との稜線域に図２０で説明した案内溝１ａ，１ｂそれぞれの断面視片側を形成する大きさの窪み１３１ｆ1と１３１ｆ2とが上記突出片側端面から所定長さに形成され、更に該各枠片間を繋ぐ連結片１３１ｅ3側の端部近傍で上記各貫通孔１３１ｄと対応する図示Ｐ1とＰ2の位置には該各貫通孔１３１ｄ同様の貫通孔１３１ｇが上記凹の段差面１３１ｃ同様の凹の段差面１３１ｈを備えて設けられている。
【００２４】
なお、上記当接面１３１-1の四隅近傍に形成されている突起１３１ａは図２０で説明したものである。
【００２５】
更に、上記第１フレーム１３１の裏面すなわち外面１３１-2側は図（ｂ）で示す如く、２箇所ずつ計４箇所の上記貫通孔１３１ｄ，１３１ｇ間を結ぶ領域の内側が所定深さの凹の段差面１３１ｊに形成されているものであり、後述するシールド板が装着し得るようになっている。
【００２６】
一方図２３で、上記第１フレーム１３１に装着されるシールド板１３２は、上記凹の段差面１３１ｊに対応する大きさで該凹の段差面１３１ｊの深さ“ｂ”にほぼ対応する厚さ“ｔ”の板状体１３２ａを主体とするものである。
【００２７】
そして該板状体１３２ａを上記凹の段差面１３１ｊに搭載したときの上記４箇所の各貫通孔１３１ｄ，１３１ｇと対応するそれぞれの位置には、該貫通孔に挿入し得る大きさの舌片１３２ｂが折り曲げた状態に立設されている。
【００２８】
そこで図２４の（２４−１）に示す如く、上記シールド板１３２の各舌片１３２ｂが上記第１フレーム１３１の各貫通孔１３１ｄと１３１ｇに挿入し得るように該シールド板１３２を下面１３１-2側から第１フレーム１３１に挿入した後、該舌片１３２ｂの先端を前記凹の段差面１３１ｃ，１３１ｈに沿ってほぼ直角に折り曲げることで、該シールド板１３２が固定された第１フレーム完成体１３を図（２４−２）に示すように構成することができる。
【００２９】
なおこの状態で、上記舌片１３２ｂ先端の外面１３２ｂ′が該第１フレーム１３１の前記当接面１３１-1にほぼ一致するようになっている。
【００３０】
他方図２２と同様に表裏面を（ａ）と（ｂ）で示した図２５で、内法サイズと外形サイズ及び厚さが上記第１フレーム１３１と等しいこの場合の第２フレーム１４１は、該第１フレーム１３１に対する当接面１４１-1に該第１フレーム１３１の突起１３１ａに対応する大きさの凹穴１４１ａを設けると共に、該第１フレーム１３１における窪み１３１ｆ1と１３１ｆ2とを左右逆の対称位置に同じ大きさの窪み１４１ｆ2と１４１ｆ1として設けたものである。
【００３１】
そして、上記凹穴１４１ａと窪み１４１ｆ2と１４１ｆを除く例えば凹の段差面１４１ｃ，１４１ｊ，１４１ｈ、貫通穴１４１ｄ，１４１ｇ等他のすべての構成は、上記第１フレーム１３１と等しい位置に同じ大きさと形状をもって形成されているものである。
【００３２】
従って、該第２フレーム１４１と上記第１フレーム１３１それぞれの当接面１４１-1，１３１-1を前記突起１３１ａと凹穴１４１ａとの嵌合による位置決めで密着させたときに、図２０で説明した２個の案内溝１ａ，１ｂが形成されると同時に、図２１で説明したソケット１１と内設回路基板１２とが内設状態で位置決めし得る空間が形成できるようになっている。
【００３３】
そこで図２６の（２６−１）に示す如く、前記シールド板１３２の各舌片１３２ｂが上記第２フレーム１４１の各貫通孔１４１ｄと１４１ｇに挿入し得るように該シールド板１３２を上面１４１-2側から第２フレーム１３１に挿入した後、該舌片１３２ｂの先端を前述したように上記凹の段差面１４１ｃ，１４１ｈに沿ってほぼ直角に折り曲げることで、該シールド板１３２が固定された第２フレーム完成体１４を図（２６−２）に示すように構成することができる。
【００３４】
なおこの状態で、上記舌片１３２ｂ先端の外面１３２ｂ′が該第２フレーム１４１の前記当接面１４１-1にほぼ一致することは前記第１フレーム完成体１３の場合と同様である。
【００３５】
そこで図２７に示す如く、先ず第２フレーム完成体１４に対する当接面１３１-1を上側にした第１フレーム完成体１３のシールド板内面（図では上面側）の内設回路基板対応領域に破線で示す如く絶縁テープＳ等を添付する。
【００３６】
次いで、図２１で説明した内設回路基板１２付のソケット１１を矢印ｃの如く装着するが、この装着は内設回路基板付のソケット１１における前記突起１１２ｃを矢印ｃ1の如く第１フレーム１３１の前記凹の段差面１３１ｃに位置させることでソケットとしての位置決めと同時にが実現することができる。
【００３７】
なおこの時点で、ソケット絶縁体１１２の上記突起１１２ｃを除く領域は矢印ｃ2のように該第１フレーム１３１の前述した突出片１３１ｂ間の切除領域に位置すると共に、上記内設回路基板１２とシールド板１３２間の絶縁も上記絶縁テープＳ等によって確保することができる。
【００３８】
次いで、第１フレーム完成体１３に対する当接面１４１-1を下側とする第２フレーム完成体１４を矢印ｃ3の如くソケット１１を介して上記第１フレーム完成体１３に装着するが、この場合の装着は上記第１フレーム完成体１３における前記突起１３１ａと該第２フレーム完成体１４における図示されない前記凹穴１４１ａとの嵌合による位置決めで矢印ｃ4の如く容易に実現することができる。
【００３９】
なお、第２フレーム完成体１４のシールド板１３２の内面にも上述した絶縁テープＳ等が添付されていることは第１フレーム完成体の場合と同様である。
【００４０】
そして、上記第１フレーム完成体１３の当接面１３１-1と第２フレーム完成体１４の当接面１４１-1間を例えば熱接合や接着等の通常手段で固着せしめることで、所要のＣＦカード１を図２０に示すように構成することができる。
【００４１】
かかるＣＦカード１では、２個のシールド板間に挟まれている内設回路基板１２が該各シールド板と絶縁状態を保っていると同時に、該各シールド板１３２同士が各シールド板に設けられた４個の前記舌片１３２ａ相互の接触によって同電位に保たれているので、確実なシールド効果が得られるメリットがある。
【００４２】
一方上記ＣＦカード１に対応する従来のコネクタ装置を本発明に係わる主要部を中心として概略的に説明する図２８で、（ａ）は全体斜視図であり、（ｂ）は矢印ｄ方向から見た正面図、（ｃ）は矢印ｄ1〜ｄ1′での断面図を実装基板と共に示した図である。
【００４３】
図でコネクタ装置５は、前記ＣＦカード１をその幅方向両サイドの側辺で案内するために対向して配置される２個のほぼ“コ”字形をなすガイド部５１１，５１２と、該各ガイド部５１１，５１２の最奥部で該各ガイド部間を連結する位置に配置される端子植設部５１３とを少なくとも備えたコネクタ筐体５１と、該コネクタ筐体５１の上記端子植設部５１３に植設される２種類各複数個のプラグ端子５２とからなる。
【００４４】
そしてこの場合のコネクタ筐体５１は、片側の上記ガイド部５１１側の内側で他方の上記ガイド部５１２と対向する対向面５１１ａには上記ＣＦカード１における片側の案内溝１ｂに嵌合する大きさの線状突起５１１ｂが最奥部側すなわち上記端子植設部５１３側に所定長さで形成され、また他方の上記ガイド部５１２側の内側で上記ガイド部５１１と対向する対向面５１２ａには上記ＣＦカード１における他方の案内溝１ａに嵌合する大きさの線状突起５１２ｂが最奥部側すなわち上記端子植設部５１３側に所定長さで形成されている。
【００４５】
また上記各ガイド部５１１と５１２それぞれの実装基板側の端面（図では上面）５１１ｃと５１２ｃには、図（ｃ）で示す実装基板５５に対する実装位置を規定するための複数（図では各２個）の突起５１１ｄ，５１１ｅと５１２ｄ，５１２ｅが形成されている。
【００４６】
従って該各突起５１１ｄ，５１１ｅ，５１２ｄ，５１２ｅの各先端面を結んで形成される面が実装基板５５に対する実装面Ｄとなる。
【００４７】
そして上記各ガイド部５１１と５１２それぞれの先端域に位置する突起５１１ｄと５１２ｄは本コネクタ装置５としての実装基板５５に対する実装時の安定度を増すために該各ガイド部の外面５１１′，５１２′側に偏って形成されており、また該各ガイド部の根元域に位置する突起５１１ｅと５１２ｅは実装基板５５に対する固定用のねじ孔５１１ｆ，５１２ｆを備えて形成されている。
【００４８】
更に上記端子植設部５１３には、上記プラグ端子５２を植設するための端子孔５１３ａが、前記ＣＦカード１におけるソケット１１の各ソケット端子１１１のソケットコンタクトと対応するそれぞれの位置に二列に形成されている。
【００４９】
一方上記プラグ端子５２は、一端が上記ソケット端子１１１のソケットコンタクトに対応するプラグコンタクト５２ａで、それに続く上記端子孔５１３ａに対応する固着部５２ｂを経て上記実装面Ｄ側にオフセット曲げされた他端が上記実装基板５５に対する接続コンタクト５２ｃに形成されているものである。
【００５０】
そして特にこの場合の該接続コンタクト５２ｃの領域は、すべてのプラグ端子５２が上記実装面Ｄ上に位置するかまたは該実装面Ｄを僅かに越えるように形成されているので、結果的に端子列数（図では二列）に対応する２種類のプラグ端子５２-1，５２-2によって構成されることとなる。
【００５１】
そこで、かかる２種類のプラグ端子５２-1，５２-2をそれぞれのプラグコンタクト５２ａ側からコネクタ筐体５１の各端子孔５１３ａに列を違えて圧入することで、２種類のプラグ端子５２-1，５２-2がコネクタ筐体５１に植設されたコネクタ装置５を図示のように構成することができる。
【００５２】
他方上記実装基板５５には、上記コネクタ装置５における各接続コンタクト５２ｃと対応するそれぞれの位置に、図示されない回路に繋がる接続電極５５ａがパターン形成されている。
【００５３】
従って、該コネクタ装置５を上記突起５１１ｄ〜５１２ｆ側から実装基板５５の所定位置換言すれば上記接続コンタクト５２ｃと接続電極５５ａと対応する位置に搭載すると、その時点でコネクタ装置５の上記各突起５１１ｄ〜５１２ｅの面を該実装基板５５に当接することができるので、以後上記ねじ孔５１１ｆ，５１２ｆの領域で該コネクタ装置５を実装基板５５にねじ止め固定することができる。
【００５４】
かかるコネクタ装置５と前記ＣＦカード１との接続状態を説明する図２９で、（２９−１）は接続前の状態を示し、また（２９−２）は接続後の状態を図２８のｄ方向から見て示した図である。
【００５５】
図の（２９−１）で上述したＣＦカード１とコネクタ装置５では、該ＣＦカード１の幅方向両サイドに形成されている案内溝１ａ，１ｂの幅が上述したように異なっていると共に、該ＣＦカード１に対応するコネクタ装置５のガイド部５１１とガイド部５１２のそれぞれに設けられている線状突起５１１ｂ，５１２ｂの大きさも上記案内溝１ａ，１ｂの幅に対応して異なっている。
【００５６】
従って予め表裏面を確認したＣＦカード１を矢印ｅの如くコネクタ装置５の各ガイド部５１１，５１２の間に挿入すると、ＣＦカード１の案内溝１ａにはコネクタ装置５のガイド部５１２の前述した線状突起５１２ｄが対応しまたＣＦカード１の案内溝１ｂにはコネクタ装置５のガイド部５１１の前述した線状突起５１１ｄが対応することから該ＣＦカード１の最奥部までの挿入が可能となり、結果的に（２９−２）で示す状態で該ＣＦカード１とコネクタ装置５ひいては図２８で説明した実装基板５５との接続を実現することができる。
【００５７】
なお上記ＣＦカード１を表裏逆の状態でコネクタ装置５に挿入すると、該ＣＦカードの幅の狭い案内溝１ａが幅の広い線状突起５１２ｂを持つガイド部５１２に挿入されるので、該カードの挿入が途中で停止して該ＣＦカード１とコネクタ装置５ひいては実装基板５５との接続を実現することができない。
【００５８】
従ってかかる構成になるＣＦカードとコネクタ装置では、誤挿入の発生がなく確実な接続が期待できるメリットがある。
【発明の開示】
【発明が解決しようとする課題】
【００５９】
しかし上記構成になるＣＦカード１では、前述したソケット１１と内設回路基板１２とを図２１で説明したように接続する場合、ソケットと内設回路基板間の位置決めに困難を伴うことがある。
【００６０】
この場合の問題点を説明する図３０で、（３０−１）は接続前の状態を示し、また（３０−２）は接続後の状態を例示したものである。
【００６１】
すなわち図（３０−１）で、前述したＣＦカードのソケット１１には内設回路基板１２に対する位置決め手段が設けられていないので、該ソケット１１と内設回路基板１２との接続前の配置では、主要部を抽出して拡大視した円内図（ａ）に示す如く、該内設回路基板１２の接続電極１２ａとソケット１１のコンタクト１１１ａとを目視による二次元方向の移動で合致させる必要があり、結果的に図（３０−２）に示す如く、ソケット１１に対して内設回路基板１２が傾いた状態に接続される場合があってコンタクト１１１ａと接続電極１２ａとの間の確実な接続が期待できないことがあると言う問題があり、また上記コンタクト１１１ａ接続電極１２ａとを確実に合致させるには多くの工数がかかって生産性の向上を期待することができないと言う問題もあった。
【００６２】
また上記構成になるコネクタ装置５では、該コネクタ装置５に上記ＣＦカード１を挿入するに際して該ＣＦカード１が斜めに挿入される場合がある。
【００６３】
この場合の問題点を挿入初期の段階で説明する図３１で、（３１−１）は一例を示し、また（３１−２）は他の事例を示したものである。
【００６４】
すなわち図（３１−１）で、上記コネクタ装置５ではガイド部５１１，５１２の先端域に設ける突起５１１ｄ，５１２ｄが外面５１１′，５１２′側に偏って形成されているが、このことは各ガイド部それぞれの先端の上記突起５１１ｄ，５１２ｄを除く領域の厚さが、当該領域を抽出して拡大視した円内図（ａ）に示す如く、ガイド部５１２の天井壁５１２″を形成することとなる。
【００６５】
そして、この場合の該天井壁５１２″の上記厚さ“ｅ1”が上記ＣＦカード１における前記案内溝１ａまたは１ｂの幅より小さいと、該ＣＦカード１の挿入初期に上記天井壁５１２″が上記案内溝１ａまたは１ｂに入り込んで該天井壁５１２″を跨ぐ図示状態になり、結果的にコネクタ装置５としてのプラグコンタクト５２ａを破壊したり、カード自体の以後の挿抜が困難になると言う問題があった。
【００６６】
また、上記天井壁５１２″や５１１″の上記厚さ“ｅ1”に変動があると、例えば（３１−２）に示す如く、ＣＦカード１が逆の斜めに挿入されると言う上記同様の問題もあった。
【課題を解決するための手段】
【００６７】
上記課題は、請求項１において、両面には相互に短絡するシールド板が露出し、幅方向両側面の相手側コネクタ装置への挿入側には異なる幅の案内溝が備えられたＣＦＡ規格対応のコンパクトフラッシュ（登録商標）カードであって、前記幅方向両側面の前記案内溝の形成域を除く領域に、該幅方向両側面から前記各シールド板の少なくとも端辺が露出する位置まで除去された台形状凹部を備えているように構成されたコンパクトフラッシュ（登録商標）カードによって解決される。
【００６８】
つまり、この台形状凹分を設けることによって、上下両面のシールド板の端部の舌片同士が当接して露出している。従って、保管などの際にシールド板の露出域を適宜接地しておけば、ＣＦカードのシールド効果とともに、外部電磁界や静電気の遮蔽効果も得られることになる。
【００６９】
次いで、請求項２において、請求項１記載のコンパクトフラッシュ（登録商標）カードを前記幅方向両側辺と各該側辺近傍でのガイドで逆挿入不能に案内するガイド部を備えたコネクタ装置であって、前記ガイド部外面側からの該ガイド部への圧入で該ガイド部に固着できる接地端子を備えてなり、前記接地端子が、挿入時の前記コンパクトフラッシュ（登録商標）カードの前記台形状凹部と対応する位置に、前記シールド板の少なくとも端辺に当接できる接続コンタクトを有しているように構成されたコンパクトフラッシュ（登録商標）カードのコネクタ装置によって解決される。
【００７０】
つまり、請求項１記載のコンパクトフラッシュ（登録商標）カード用のコネクタのガイド部の外面側から圧入固着される接地端子を設けて、接続コンタクトがカードを挿入したときにカードの台形状凹部から露出しているシールド板の舌片と当接するようにしている。
【００７１】
次いで、請求項３において、請求項１記載のコンパクトフラッシュ（登録商標）カードを前記幅方向両側辺と各該側辺近傍でのガイドで逆挿入不能に案内するガイド部を備えたコネクタ装置であって、前記ガイド部内面側からの該ガイド部への圧入で該ガイド部に固着できる接地端子を備えてなり、前記接地端子が、挿入時の前記コンパクトフラッシュ（登録商標）カードの前記台形状凹部と対応する位置に、前記シールド板の少なくとも端辺に当接できる接続コンタクトを有しているように構成されたコンパクトフラッシュ（登録商標）カードのコネクタ装置によって解決される。
【００７２】
つまり、シールド板の舌片に当接する接続コンタクトを、接地端子がガイド部内面側から圧入固着されるようにしてもよい。
【発明の効果】
【００７３】
上述の如く本発明により、コンパクトフラッシュ（登録商標）カードやコネクタとしての組立の容易化と操作性及び特性の向上を図ったコンパクトフラッシュ（登録商標）カードとそのコネクタを提供することができる。
【発明を実施するための最良の形態】
【００７４】
図１は本発明になるＣＦカードの一例を説明する図であり、図２は図１におけるソケットを内設回路基板と共に説明する図、図３は本発明になるコネクタ装置を説明する図、図４は図１のＣＦカードと図３のコネクタ装置との接続状態を説明する図である。
【００７５】
また、図５は本発明になるＣＦカードの応用例を説明する図、図６は図５のＣＦカードに対応するコネクタ装置を説明する図、図７は図６のコネクタ装置における第１の接地端子を説明する図、図８は図６のコネクタ装置における第２の接地端子を説明する図、図９は図６のコネクタ筐体を説明する図（その１）、図１０は図６のコネクタ筐体を説明する図（その２）、図１１は接地端子のコネクタ筐体への装着工程を説明する図、図１２は図５のＣＦカードと図７のコネクタ装置との接続状態を説明する図である。
【００７６】
更に、図１３は図５のＣＦカードに対応する他のコネクタ装置を説明する図、図１４は図１３のコネクタ装置における第１の接地端子を説明する図、図１５は図１３のコネクタ装置における第２の接地端子を説明する図、図１６は図１３のコネクタ筐体を説明する図（その１）、図１７は図１３のコネクタ筐体を説明する図（その２）、図１８は図１３の各接地端子のコネクタ筐体への装着工程を説明する図、図１９は図５のＣＦカードと図１３のコネクタ装置との接続状態を説明する図である。
【００７７】
なお図ではいずれも図２０で説明したＣＦカードと図２８で説明したコネクタ装置に本発明を適用させる場合を例としているので、図２０乃至図２８で記した同じ部材や部位には同一の記号を付すと同時に重複する説明についてはそれを省略する。
【００７８】
本発明になるＣＦカードを図２０同様に示す図１で、（ａ）は全体を一部切断視した斜視図、（ｂ）は上記切断視領域を矢印ａのように平面視した図、（ｃ）は（ｂ）図を矢印ａ1〜ａ1′で切断したときの断面を示した図である。
【００７９】
図１で本発明になるＣＦカード２は、図２０で説明したＣＦカード１におけるソケット１１のみを本発明に係わるソケット１２に換えたものであることから、上記ＣＦＡ規格に適合するソケット端子１１１が該ＣＦＡ規格に合致するように配置されてなるソケット２１と、前述した内設回路基板１２と、前述した第１フレーム完成体１３と、前述した第２フレーム完成体１４とで構成されいる。
【００８０】
従って、上記第１フレーム完成体１３と第２フレーム完成体１４とを上記ソケット２１の長手方向と平行する両側面に挟んで密着固定させることで、該ソケット２１の相手コネクタに対する接続領域Ａが端面に露出させられると共に、上記内設回路基板１２が第１フレーム完成体１３におけるシールド板１３２と第２フレーム完成体１４におけるシールド板１３２との間に絶縁を保って位置させられることも前記ＣＦカード１の場合と同様である。
【００８１】
更に、上記接続領域Ａの長手方向両側の側壁面１′，１″に上記ＣＦＡ規格で規定された幅“ｗ1”と“ｗ2”で所定深さの案内溝１ａ，１ｂが形成されて、また上記第１フレーム完成体側のシールド板１３２と第２フレーム完成体側のシールド板１３２とが該各シールド板１３２に形成されているそれぞれ４箇所（図示のＰ1〜Ｐ4）の前記舌片１３２ｂ相互間の当接によって導通するようになっていることも図２０で説明したＣＦカード１と同様である。
【００８２】
そして上記ソケット２１を内設回路基板１２と共に説明する図２で、（２−１）はソケットを示し、（２−２）は内設回路基板との接続状態を平面視して示したものである。
【００８３】
すなわち図（２−１）で、ソケット２１は前述したソケット端子１１１と前記ソケット１１の絶縁体１１２に対応する絶縁体２１１とからなるが、特にこの場合の該絶縁体２１１は上記絶縁体１１２における突起１１２ｃのみを本発明にかかわる突起２１１ａに変えたものであり、その他の領域は絶縁体１１２と同等に形成されているものである。
【００８４】
そして上記突起２１１ａは、その領域を抽出して平面視した円内図（ａ）に示す如く、該絶縁体２１１の底面２１１ｂ側に所定の大きさで延出させた位置決め突起２１１ａ′を前記突起１１２ｃに追加形成したものである。
【００８５】
なお上記位置決め突起２１１ａ′は、該絶縁体２１１をその突起２１１ａの領域での位置決めで前記第１フレーム１３１に前記同様に装着し得る大きさに設定されている。
【００８６】
従って、上記ソケット端子１１１を前記同様に該絶縁体２１１に植設することで、ソケット２１を図示のように構成することができる。
【００８７】
そこで図２１の場合と同様に該ソケット２１を上記内設回路基板１２に実装するが、この場合の該ソケット２１に対する内設回路基板１２の位置決めは該内設回路基板１２の接続電極形成側の端辺１２′を上記上記位置決め突起２１１ａ′の先端面２１１ａ″に当接させた状態で両者をはんだ接続することで、ソケット２１と内設回路基板１２とが位置決めされた状態で接続された内設回路基板付きソケットを（２−２）に示す如く構成することができる。
【００８８】
従って以後前述した工程を経てＣＦカードを組み立てることで、図３０の（３０−２）で説明した問題点が抑制された所要のＣＦカード２を容易に実現することができる。
【００８９】
一方本発明になるコネクタ装置を説明する図３で、（ａ）は全体斜視図であり、（ｂ）は図２８同様の正面図である。
【００９０】
図３でコネクタ装置６は、本発明に係わるコネクタ筐体６１と、前述した２種類各複数個のプラグ端子５２とからなる。
【００９１】
すなわちこの場合のコネクタ筐体６１は、前記コネクタ筐体５１における各ガイド部５１１と５１２を、それぞれの基板実装側の端面５１１ｃ，５１２ｃに設ける突起５１１ｄと５１２ｄのみを本発明に係わる突起６１ａと６１ｂに変えたガイド部６１１と６１２にしたものであり、その他の領域は上記コネクタ筐体５１と同等に形成されているものである。
【００９２】
そして上記突起６１ａと６１ｂは、上記突起５１１ｄと５１２ｄが上記端面５１１ｃと５１２ｃそれぞれの外面５１１′，５１２′側に偏って形成されているのに対して、上記端面５１１ｃ，５１２ｃの全幅にわたって形成されているものである。
【００９３】
このことは上記正面図（ｂ）で示す如く、ＣＦカード挿入側には上記突起６１ａと６１ｂの各端面を含む厚さの天井壁６１ａ′，６１ｂ′が全幅にわたって現出することから上述した端面５１１ｃ，５１２ｃによる前記天井壁５１２″がＣＦカード挿入側の端面に現出しないことを示している。
【００９４】
そしてこの場合の上記天井壁６１ａ′，６１ｂ′の厚さ“ｔ”は、前記ＣＦカード２における溝幅の大きい案内溝１ｂの溝幅よりも更に大きい。
【００９５】
従って、結果的に図３１で説明したＣＦカードとしての傾いた挿入が抑制できることを示している。
【００９６】
そこで、上述した２種類のプラグ端子５２-1，５２-2のそれぞれを前述したようにプラグコンタクト５２ａ側から上記コネクタ筐体６１の各端子孔５１３ａに列を異ならせて圧入することで、２種類のプラグ端子５２-1，５２-2がコネクタ筐体６１に植設されたコネクタ装置６を図示のように構成することができる。
【００９７】
なおかかるコネクタ装置６でも、上記各ガイド部６１１，６１２それぞれの内側に前述した線状突起５１１ｂ，５１２ｂが形成されていることは前記コネクタ装置５の場合と同様であり、また上記各プラグ端子５２-1，５２-2それぞれの接続コンタクト５２ｃが上記各突起６１ａ，５１１ｅ，６１ｂ，５１２ｅの先端面を結ぶ前記実装面Ｄと一致することも前記コネクタ装置５の場合と同様である。  
【００９８】
従って、図２８で説明した如く上記コネクタ装置６を上記実装面Ｄ側から前記実装基板５５の所定位置に搭載することで上記各接続コンタクト５２ｃを該実装基板５５の各接続電極５５ａに接触させられるので、以後該コネクタ筐体６１の前記ねじ孔５１１ｆ，５１２ｆの領域で該コネクタ装置６を上記実装基板５５にねじ止め固定することができる。
【００９９】
かかるコネクタ装置６と前記ＣＦカード２との接続状態を説明する図４で、（４−１）は接続前の状態を示し、また（４−２）は接続後の状態を図２９同様に示した図である。
【０１００】
図の（４−１）で上述したＣＦカード２とコネクタ装置６では、該ＣＦカード２の幅方向両サイドに形成されている案内溝１ａ，１ｂと、コネクタ装置６の各ガイド部６１１，６１２のそれぞれに設けられている線状突起５１１ｂ，５１２ｂとが対応して位置している。
【０１０１】
従って予め表裏面を確認したＣＦカード２を矢印ｅの如くコネクタ装置６の各ガイド部６１１，６１２の間に挿入することで、ＣＦカード２の案内溝１ａにはコネクタ装置６の前述した線状突起５１２ｂが嵌合し他の案内溝１ｂにはコネクタ装置６のガイド部６１１の前述した線状突起５１１ｂが嵌合することから、該ＣＦカード２を各ガイド部６１１，６１２ひいてはコネクタ装置６の最奥部まで挿入することができて、結果的に（４−２）で示す状態で該ＣＦカード２とコネクタ装置６換言すれば前記実装基板５５との接続を実現することができる。
【０１０２】
なお上記ＣＦカード２を表裏逆の状態でコネクタ装置６に挿入すると、該ＣＦカード２の幅の狭い案内溝１ａが幅の広い線状突起５１２ｂを持つガイド部６１２に挿入されるので、該カードの挿入が途中で停止し該ＣＦカード２とコネクタ装置６ひいては実装基板５５との接続が実現できないことは前記コネクタ装置５の場合と同様であり誤挿入を抑制することができる。
【０１０３】
そしてかかるＣＦカード２とコネクタ装置６では、ＣＦカード２を図３１で説明したようにコネクタ装置６にたいして斜めに挿入しようとしても、ＣＦカード２の各案内溝１ａ，１ｂと対応するそれぞれの領域が上述した突起６１ａ，６１ｂに当接することから、該ＣＦカード２としての挿入が実現できず、結果的に斜め挿入に基づくプラグ端子としての変形や破損が抑制できるメリットがある。
【０１０４】
本発明になるＣＦカードの応用例を説明する図５で、（ａ）は全体斜視図であり、（ｂ）は（ａ）における本発明に係わる主要部Ｅを矢印ａの如く平面視した図、（ｃ）は（ｂ）図を矢印ａ1〜ａ1′で切断したときの断面図である。
【０１０５】
図で本発明になるＣＦカード３は、図１で説明したＣＦカード２の各シールド板１３２における４箇所（図示Ｐ1〜Ｐ4箇所）に設けられた舌片１３２ｂの内の該カード挿脱操作側に位置する２箇所（図示Ｐ1，Ｐ2）と対応する領域が、それぞれの側壁面１′，１″からの切り込みで上記舌片１３２ｂが露出する位置まで台形状凹部３ａが形成されているものである。
【０１０６】
なお該台形状凹部３ａは、図２０で説明した第１フレーム１３１と図２５で説明した第２フレーム１４１における連結片側の各凹の段差面１３１ｈ，１４１ｈと対応するそれぞれの領域を、外面側から貫通孔１３１ｇ，１４１ｇまで台形状凹部１３１ｋ，１４１ｋとして削除することで容易に実現することができる。
【０１０７】
そして、この場合の上記各台形状凹部１３１ｋ，１４１ｋは上述したように貫通孔１３１ｇ，１４１ｇの領域まで形成されていることから、ＣＦカードとして構成した図示状態では、該台形状凹部３ａの領域に該ＣＦカードの両面に露出して位置する２個のシールド板１３２の各舌片１３２ｂ同士が相互に当接して露出することとなる。
【０１０８】
かかる構成になるＣＦカード３では、上記２個のシールド板１３２が短絡したまま常時該ＣＦカード３から露出しているので、ＣＦカードとしての保管時や運搬時等に例えば積み重ねた状態のまま上記シールド板露出域を図示されない治具等で接地電位に短絡しておくことで、ＣＦカードとしてのシールド効果と共に外部電磁界や静電気の遮蔽効果が得られるメリットがある。
【０１０９】
図５で説明したＣＦカード３に対応するコネクタ装置を実装基板５６と共に説明する図６で、（ａ）は全体斜視図、（ｂ）は（ａ）を矢印ｄ方向から見た正面図である。
【０１１０】
図６で本発明になるコネクタ装置７は、本発明に係わるコネクタ筐体７１と、該コネクタ筐体７１の各ガイド部７１１，７１２に固定される第１の接地端子７２と第２の接地端子７３と、前述した２種類各複数個のプラグ端子５２とからなり、該第１の接地端子７２と第２の接地端子７３とは対をなして互いに対象に形成されているものである。
【０１１１】
なお上記コネクタ筐体７１は、前記コネクタ筐体６１における各ガイド部６１１と６１２のみを本発明に係わるガイド部７１１と７１２に変えたものであり、その他の領域は上記コネクタ筐体６１と等しく形成されているものである。
【０１１２】
そして上記コネクタ筐体７１の各ガイド部７１１と７１２に上記各接地端子７２と７３を対応させて固定した状態では、該各接地端子７２，７３の実装基板５６に対する上記接続端子７２ｃ，７３ｃが上記コネクタ筐体７１における前記実        装面Ｄから突出した状態になり、該各接続端子７２ｃ，７３ｃを前記実装基板５５同様の接続電極を備えた実装基板５６の該接続端子対応位置に形成されている端子孔５６ａに挿入して接続することで、該実装基板５６上の図示されないアース回路に接続できるようになっている。
【０１１３】
ここで理解し易くするため、先に図７と図８で上記２種類の接地端子７２，７３を説明し、図９と図１０で上記コネクタ筐体７１を説明する。
【０１１４】
片側の接地端子を説明する図７で、（ａ）は全体斜視図であり（ｂ）は（ａ）を矢印ｅ1方向から見た側面図である。
【０１１５】
図で例えば燐青銅の如くばね性のある金属板からなる接地端子７２は、ほぼＬ形に打ち抜かれたブランクの角部領域での折り曲げ成形で形成される一辺を上記コネクタ筐体７１に対する固定片７２ａとし、他片を図５で説明したＣＦカード３に対する接続片７２ｂとするものである。
【０１１６】
そして上記固定片７２ａは、上記折り曲げ域７２ａ′からコネクタ筐体７１に対する固着部７２ｄを経た後の自由端側が前記実装基板５６の端子孔５６ａに対応する上記接続端子７２ｃに形成され、また上記接続片７２ｂは上記折り曲げ域に繋がる位置決め部７２ｅから自由端側が所定幅“ｗ”に縮幅された舌片域７２ｆに形成され、更に該舌片域７２ｆの自由端側先端は上記固定片側に折り返された接続コンタクト７２ｇに形成されているものである。
【０１１７】
そして上記舌片域７２ｆは、その長さ方向のほぼ中間線７２ｆ′で上記固定片側に僅かな角度“α”に鈍角曲げされている。
【０１１８】
なお、上記固着部７２ｄには上記コネクタ筐体７１に対する固着の確実化を図るために複数（図では２箇所）の小突起７２ｄ′が厚さ方向に突出して形成され、また上記位置決め部７２ｅには上記コネクタ筐体７１に対する位置決めの確実化を図るために幅方向に突出する複数（図では２箇所）の突起がバルジ７２ｅ′として形成されている。
【０１１９】
従って上記接地端子７２を上記固着部７２ｄと位置決め部７２ｅとの領域で上記コネクタ筐体７１に位置決めして固定することで、接触片７２ｂの先端に位置する上記接続コンタクト７２ｇをフリーの状態にすることができる。
【０１２０】
また他方の接地端子を説明する図８で、（ａ）は全体斜視図であり（ｂ）は（ａ）を矢印ｅ2方向から見た側面図である。
【０１２１】
図で前記接地端子７２と同じ材料の同じブランクからなる接地端子７３は、前記折り曲げ域７２ａ′と前記中間線７２ｆ′におけるそれぞれの折り曲げ方向を該接地端子７２に対して逆にしたものであり、結果的に該接地端子７２とは対称的になっているものである。
【０１２２】
従って、折り曲げ域７３ａ′を含む固定片７３ａには固着部７３ｄと接続端子７３ｃが形成されまた接触片７３ｂには位置決め部７３ｅと舌片域７３ｆと接続コンタクト７３ｇが形成されていることは上記接地端子７２と同様であり、また舌片域７３ｆのほぼ中間に位置する中間線７３ｆ′で上記固定片７３ａ側に角度“α”で鈍角曲げされていることも該接地端子７２と同様である。
【０１２３】
そこで上記接地端子７３を上記固着部７３ｄと位置決め部７３ｅとの領域で上記コネクタ筐体７１に位置決めして固定することで、接触片７３ｂの先端に位置する上記接続コンタクト７３ｇを上記接地端子７２同様にフリーの状態にすることができる。
【０１２４】
一方上記接地端子７２と７３を装着するコネクタ筐体を説明する図９と図１０で、図９の（ａ）はコネクタ筐体の全体斜視図であり（ｂ）は（ａ）を矢印ｆ〜ｆ′で一部断面視した正面図であり、また図１０の（ｃ）は図９の破線Ｆで示す本発明に係わる主要部の斜視図、（ｄ）は上記主要部の詳細図で(1)は平面図，(2)は側面図，(3)は矢印ｆ1〜ｆ1′での断面図，(4)は矢印ｆ2〜ｆ2′での断面図，(5)は(1)の裏面図，(6)は矢印ｆ3〜ｆ3′での断面図である。
【０１２５】
図９で本発明に係わるコネクタ筐体７１は、上述した如く前記コネクタ筐体６１の各ガイド部６１１と６１２におけるカード挿脱操作側端部すなわち先端面近傍に接地端子固定部７１１ａ，７１２ａを追加形成したガイド部７１１と７１２とに変えたものである。
【０１２６】
従って、該各ガイド部７１１，７１２のそれぞれに前述した突起５１１ｅ，５１２ｅと突起６１ａ，６１ｂが形成され、また該各ガイド部７１１，７１２それぞれの内側の所定位置に前述した線状突起５１１ｂと５１２ｂが形成されていることも前記コネクタ筐体６１の場合と同様である。
【０１２７】
更に、上記コネクタ筐体７１における前記各端子孔５１３ａに前述した２種類のプラグ端子５２を植設したときに、該各プラグ端子５２の前述した接続コンタクト５２ｃが上記各突起５１１ｅ，５１２ｅ，６１ａ，６１ｂの先端面を結ぶ前記実装面Ｄと一致することも前記コネクタ筐体６１の場合と同様である。
【０１２８】
そして特に本発明に係わる接地端子固定部７１２ａは、図７における片側のガイド部７１２の主要部を抽出した図１０に示す如く、接地端子７３の位置決め部７３ｅが厚さ方向での圧入で位置決めし得る大きさで該位置決め部の厚さに対応する深さの凹の段差面７１２ｂと、該凹の段差面７１２ｂに上記接地端子７３を位置決め圧入したときの該接地端子７３の上記折り曲げ域７３ａ′と上記固着部７３ｄとが圧入できる大きさの圧入溝７１２ｃと、該接地端子７３を位置決めしたときの上記舌片域７３ｆと対応する領域には該舌片域７３ｆの前記幅“ｗ”を越える幅“ｗ1”の凹案内溝７１２ｄを少なくとも備えており、更に該凹案内溝７１２ｄのＣＦカード挿脱操作側の端部には接地端子７３の接続コンタクト７３ｇが該ガイド部７１２の内側に突出し得るように該ガイド部７１２を貫通する切り込み部７１２ｅに形成されている。
【０１２９】
なおガイド部７１２の上記圧入溝７１２ｃと対応する位置で前記実装面Ｄ側に突出して形成されている突起７１２ｇは、前記接地端子７３の該ガイド部７１２に対する固着の確実化を図るために設けているものであり、その実装面側の端面７１２ｇ′の位置は上記実装面Ｄに一致するようになっている。
【０１３０】
また上記凹案内溝７１２ｄの底面は、凹の段差面７１２ｂから上記切り込み部７１２ｅまでの間が接地端子７３における接続コンタクト側の前記傾斜“α”に対応した傾斜面７１２ｆになっている。
【０１３１】
更に接地端子７３の上記位置決め部７３ｅは、該位置決め部に設けた前記バルジ７３ｅ′の凹の段差面壁面への圧入で接地端子７３に確実に位置決めし得ると同時に、上記固着部７３ｄは該固着部に設けた前記小突起７３ｄ′の圧入案内溝壁面への圧入で該接地端子７３に確実に固着できるようになっている。
【０１３２】
なお、ガイド部７１２における上記凹の段差面７１２ｂの該カイド部先端面からの形成位置は、上記接地端子７３を該凹の段差面の領域で該ガイド部に固定したときの該接地端子７３の接続コンタクト７３ｇが、前記ＣＦカード３を該コネクタ筐体７１に正規位置まで挿入したときの該ＣＦカード３における前記台形状凹部３ａに位置するように設定されている。
【０１３３】
そこで上記接地端子７３を、その位置決め部７３ｅの外面７３ｅ″がガイド部７１２の前記外面５１２′と一致する位置までガイド部外面側から上記凹の段差面７１２ｂに圧入すると、該接地端子７３の上記固着部７３ｄも同時に上記圧入案内溝７１２ｃに圧入されることから、該接地端子７３をガイド部７１２の接地端子固定部７１２ａに装着することができる。
【０１３４】
そしてこの状態で、接地端子７３の接続端子７３ｃの領域が前記実装面Ｄから突出すると共に、上記凹案内溝７１２ｄ内に位置する舌片域７３ｆの先端の接続コンタクト７３ｇが上記切り込み部７１２ｅに位置する。
【０１３５】
そしてかかる接地端子固定部７１２ａは、上記コネクタ筐体７１の他方のガイド部７１１にも対称的な接地端子固定部７１１ａとして形成されている。
【０１３６】
そこで図１１に示す如く、前記２種類のプラグ端子５２が植設されている上記コネクタ筐体７１に、片方のガイド部７１２には図８で説明した接地端子７３を矢印ｇ1のように上述した手順で圧入して固着せしめ、次いで他方のガイド部７１１に図７で説明した接地端子７２を前記同様に矢印ｇ2の如く圧入して固着せしめることで、図５で説明したＣＦカード３に対応する所要のコネクタ装置７を図６で示すように構成することができる。
【０１３７】
上記ＣＦカード３とコネクタ装置７との接続状態を説明する図１２で、（１２−１）は接続前の状態を示し、（１２−２）は接続時の状態を主要部を平面視して時系列的に示した図である。
【０１３８】
すなわち図の（１２−１）で、上述したＣＦカード３とコネクタ装置７では、該ＣＦカード３の幅方向両サイドに形成されている案内溝１ａ，１ｂと、コネクタ装置７の各ガイド部７１１，７１２のそれぞれに設けられている図示されない線状突起５１１ｂ，５１２ｂとが対応して位置していることは、前記ＣＦカード２とコネクタ装置６の場合と同様である。
【０１３９】
そしてこの時点では、上記ＣＦカード３における前記台形状凹部３ａとコネクタ装置７における上記接地端子７３の接続コンタクト７３ｇとが、図（１２−２）の(1)で示す如く、離れた状態にある。
【０１４０】
そこで、予め表裏面を確認したＣＦカード３を矢印ｈの如くコネクタ装置７の各ガイド部７１１，７１２の間に挿入することで、ＣＦカード３の案内溝１ａにはコネクタ装置７の前述した線状突起５１２ｂが嵌合し他の案内溝１ｂにはコネクタ装置７の前述した線状突起５１１ｂが嵌合するので、該ＣＦカード３を各ガイド部７１１，７１２ひいてはコネクタ装置７の最奥部まで挿入することができる。
【０１４１】
そして上記ＣＦカード３をコネクタ装置７に挿入した初期の時点では、図（１２−２）の(2)で示す如く、コネクタ装置７の上記接続コンタクト７３ｇが、ＣＦカード３の側壁面１′（コネクタ装置７の他方の接続コンタクト７２ｇはＣＦカード３の側壁面１″）上にある。
【０１４２】
そしてＣＦカード３が該コネクタ装置７の最奥図に到達すると、図（１２−２）の(3)で示す如く、コネクタ装置７の上記接続コンタクト７３ｇが、ＣＦカード３の上記台形状凹部３ａに到達しするが、この時点で接続コンタクト７３ｇが該台形状凹部３ａに露出するシールド板１３２の舌片１３２ｂに当接する。
【０１４３】
そして、この場合の該シールド板１３２はＣＦカード３の両面に配置されていると同時に上記舌片１３２ｂによって各シールド板間が導通している。
【０１４４】
従って、上記コネクタ装置７を前述したように実装基板５６に実装した後に上記ＣＦカード３を挿入することで、上記各シールド板１３２を上記接地端子７２，７３を介して接地電位に繋げることができる。
【０１４５】
なお、上記ＣＦカード３を抜くと、上記シールド板１３２と接地端子７２，７３間の導通がなくせることから、シールド板の接地電位への接続が解除できることは明らかである。
【０１４６】
かかる構成になるＣＦカードとコネクタ装置では、ＣＦカードやコネクタ装置としてのシールド効果と共に外部電磁界や静電気の遮蔽効果が得られるメリットがある。
【０１４７】
図５で説明したＣＦカード３に対応する他のコネクタ装置を実装基板５６と共に説明する図１３で、（ａ）は全体斜視図、（ｂ）は図６同様に（ａ）を矢印ｄ方向から見た正面図である。
【０１４８】
図１３で本発明になるコネクタ装置８は、本発明に係わるコネクタ筐体８１と、該コネクタ筐体８１の各ガイド部８１１，８１２に固定される第１の接地端子８２，第２の接地端子８３と、前述した２種類各複数個のプラグ端子５２とからなり、上記第１の接地端子８２と第２の接地端子８３とは対をなすように互いに対称に形成されているものである。
【０１４９】
なお上記コネクタ筐体８１は、前記コネクタ筐体７１と同様に前述したコネクタ筐体６１における各ガイド部６１１と６１２のみを本発明に係わるガイド部８１１と８１２に変えたものであり、その他の領域は上記コネクタ筐体６１と等しく形成されているものである。
【０１５０】
そして上記コネクタ筐体８１の各ガイド部８１１と８１２に上記各接地端子２２と８３を固定した状態では、該各接地端子８２，８３の実装基板５６に対する接続端子８２ｃ，８３ｃが上記コネクタ筐体８１における前記実装面Ｄから突出した状態になり、該各接続端子８２ｃ，８３ｃを該実装基板５６の該接続端子対応位置に形成されている端子孔５６ａに挿入して接続することで、該実装基板５６上の図示されないアース回路に接続できるようになっている。
【０１５１】
ここで前記コネクタ装置７と同様に、先に図１４と図１５で上記第１の接地端子７２と第２の接地端子７３を説明し、図１６と図１７で上記コネクタ筐体８１を説明する。
【０１５２】
片側の第１の接地端子を説明する図１４で、（ａ）は全体斜視図であり（ｂ）は（ａ）を上方から見た平面図である。
【０１５３】
図でばね性のある金属板からなる第１の接地端子８２は、コネクタ筐体に対する固定片８２ａと、それに繋がる突出片８２ｂと接続端子８２ｃと舌片域８２ｄを備えているものである。
【０１５４】
そして上記各構成部材の相対的な位置は、固定片８２ａの巾方向片側に寄せて該固定片から延出する突出片８２ｂの片側側辺に前記接続端子８２ｃが直交して形成されていると共に、該固定片８２ａの上記突出片延出側の端辺から前記第１の接地端子７２における舌片域７２ｆに対応する舌片域８２ｄが該固定片に対して９０°を僅かに越える鋭角に折り曲げ形成されているものである。
【０１５５】
そして、該舌片域８２ｄの先端には上記固定片の反対側に折り返された接続コンタクト８２ｅが上記接地端子７２における接続コンタクト７２ｇ同様に形成され、また上記接続端子８２ｃの根元域には板厚方向に僅かに突出する小突起８２ｃ′が更に固定片８２ａの領域には上記小突起８２ｃ′と同様の小突起８２ａ′がそれぞれバルジとして形成されている。
【０１５６】
なお上記固定片８２ｂの大きさは、巾“ｄ1”が断面視コ字形をなす前記ガイド部７１１の底巾にほぼ対応し、長さ“ｄ2”が該ガイド部７１１の底部の厚さにほぼ対応するように設定されているものである。
【０１５７】
一方他方の第２の接地端子を説明する図１５で、（ａ）は全体斜視図であり（ｂ）は（ａ）を上方から見た平面図である。
【０１５８】
図で第２の接地端子８３は上記第１の接地端子８２と同じブランク材を使用し、該接地端子８２と対をなすように対象的に折り曲げて形成したものである。
【０１５９】
すなわち、上記固定片８２ａと同じ大きさの固定片８３ａに対する舌片域８３ｄの折り曲げ方向と接続コンタクト８３ｅの折り返し方向とをそれぞれ逆にしたものである。
【０１６０】
従って上記第１の接地端子８２と該第２の接地端子８３とをそれぞれの固定片８２ａ，８３ａを同一面上で整列させることで、第１の接地端子の接続端子８２ｃと第２の接地端子の接続端子８３ｃとを同一面上で整列指せられると同時に第１の接地端子の接続コンタクト８２ｅと第２の接地端子の接続コンタクト８３ｅとを対向させることができる。
【０１６１】
なお、上記固定片８３ａの領域にバルジとしての小突起８３ａ′が形成され、また上記接続端子８３ｃの根元域にバルジとしての小突起８３ｃ′が形成されていることも上記第１の接地端子８２と同様である。
【０１６２】
一方上記各接地端子８２，８３を装着するコネクタ筐体を説明する図１６と図１７で、図１６の（ａ）はコネクタ筐体の全体斜視図、（ｂ）は前記図９同様に（ａ）を矢印ｆ〜ｆ′で一部断面視した正面図であり、図１７の（ｃ）は図１６の破線Ｆで示す本発明に係わる主要部の斜視図、（ｄ）は上記主要部の詳細を示したものであり(1)は平面図，(2)は側面図，(3)は図９同様の矢印ｆ1〜ｆ1′での断面図，(4)は図９同様の矢印ｆ2〜ｆ2′での断面図，(5)は(1)の裏面図，(6)は図９同様の矢印ｆ3〜ｆ3′での断面図である。
【０１６３】
図１６で本発明に係わるコネクタ筐体８１は、前記コネクタ筐体７１の各ガイド部７１１，７１２を、その接地端子固定部７１１ａ，７１２ａのみを本発明に係わる接地端子固定部８１１ａ，８１２ａに変えたガイド部８１１，８１２にしたものである。
【０１６４】
従って該各ガイド部８１１，８１２のそれぞれに、前述した突起５１１ｅ，５１２ｅと突起６１ａ，６１ｂ及び前記突起７１１ｇ，７１２ｇが形成され、また該各ガイド部８１１，８１２それぞれの内側の所定位置に前述した線状突起５１１ｂと５１２ｂが形成されていることとなる。
【０１６５】
また、上記コネクタ筐体８１における前記各端子孔５１３ａに前述した２種類のプラグ端子５２を植設したときに、該各プラグ端子５２の前述した接続コンタクト５２ｃが上記各突起５１１ｅ，５１２ｅ，６１ａ，６１ｂの先端面を結ぶ前記実装面Ｄと一致することも前記コネクタ筐体７１の場合と同様である。
【０１６６】
そして本発明に係わるこの場合の接地端子固定部８１１ａ，８１２ａは、図１５で説明した第２の接地端子８３に対応する片側のガイド部８１２の主要部を抽出した図１７に示す如く、断面がコ字形をなす該ガイド部８１２の底面に上記接地端子８３の固定片８３ａが圧入し得る固着孔８１２ｂが形成され、また該固着孔８１２ｂにガイド部内面側から上記固定片８３ａを圧入したときの該接地端子８３の上記接続端子８３ｃと対応する領域には該接続端子８３ｃが挿入できるスリット溝８１２ｃが前記突起７１２ｇ領域までを含めて形成されている。
【０１６７】
そして更に、該スリット溝８１２ｃに接続端子８３ｃが挿入されたときの該接地端子８３の上記舌片域８３ｄと対応する領域は、該舌片域８３ｄの幅“ｗ”を越える幅“ｗ1”でガイド部先端から切り込まれた切り込み部８１２ｄによって該ガイド部８１２の外側に逃げられるようになっている。
【０１６８】
なお、上記ガイド部８１２底面の上記固着孔８１２ｂから該切り込み部８１２ｄまでの間は、図の(4)に示す如く先端側すなわち該切り込み部側が徐々に薄くなる斜面８１２ｅに形成されている。
【０１６９】
更に、上記第２の接地端子８３の上記接地端子固定部８１２ａひいてはコネクタ筐体８１への固着は、上記固定片８３ａの領域に設けた上記小突起８３ａ′の上記固着孔８１２ｂ壁面への圧入と、上記接続端子８３ｃの根元域に設けた小突起８３ｃ′の上記スリット溝８１２ｃ壁面への圧入とによって確実に実現できるようになっている。
【０１７０】
そこで図１８に示す如く、前記２種類のプラグ端子５２が植設されている上記コネクタ筐体８１の上記ガイド部８１１，８１２の間に配置した上記接地端子８３を、その固定片８３ａが上記固着孔８１２ｂに位置すると同時にその接続端子８３ｃがスリット溝８１２ｃに入るように例えば該接地端子８３を図示左側に約９０°回転させて圧入することで、該接地端子８３をガイド部８１２の接地端子固定部８１２ａに装着することができる。
【０１７１】
そしてこの状態で、接地端子８３の接続端子８３ｃの領域が前記実装面Ｄから突出すると共に、該接地端子８３の上記舌片域８３ｄ先端の前記接続コンタクト８３ｅが上記切り込み部８１２ｄ内で内側に向かって位置する。
【０１７２】
一方、各ガイド部間に配置した接地端子８２を矢印ｋ2の如くその固定片８２ａの固着孔８１１ｂへの圧入とその接続端子８２ｃのスリット溝８１１ｃへの圧入とでガイド部８１１に固着せしめることで該接地端子８２をガイド部８１１の接地端子固定部８１１ａに装着することができる。
【０１７３】
そしてこの状態で、接地端子８２の接続端子８２ｃ領域が前記実装面Ｄから突出すると共に該接地端子８２の接続コンタクト８２ｅが上記切り込み部８１１ｄ内で内側に向かって位置することは上記接地端子８３の場合と同様である。
【０１７４】
従って、図５で説明したＣＦカード３に対応する他のコネクタ装置８を図１８で示すように構成することができる。
【０１７５】
かかるコネクタ装置８では、コネクタ筐体８１に装着する各接地端子８２，８３が共にガイド部８１１，８１２の内側から該各ガイド部に装着されているため、ＣＦカード３によって上記各接地端子８２，８３が外側に押圧されても接地端子としてのコネクタ筐体からの脱落が抑制できて長期間の使用が確保できると言う格別なメリットを得ることができる。
【０１７６】
上記ＣＦカード３とコネクタ装置８との接続状態を説明する図１９で、（１９−１）は接続前の全体状態を示し、（１９−２）は接続時の状態を主要部を平面視して示したものである。
【０１７７】
すなわち図の（１９−１）で、上述したＣＦカード３とコネクタ装置８では、該ＣＦカード３の幅方向両サイドに形成されている案内溝１ａ，１ｂと、コネクタ装置８の各ガイド部８１１，８１２の内側に設けられている図示されない線状突起５１１ｂ，５１２ｂとが対応して位置していることは、前記コネクタ装置７の場合と同様である。
【０１７８】
そしてこの時点では、上記ＣＦカード３における前記台形状凹部３ａとコネクタ装置８における上記接地端子８３の接続コンタクト８３ｅとが、図（１９−２）の(1)で示す如く、離れた状態にある。
【０１７９】
そこで、予め表裏面を確認したＣＦカード３を図１２同様に矢印ｈの如くコネクタ装置８の各ガイド部８１１，８１２の間に挿入すると、前述した如くＣＦカード３の案内溝１ａにはコネクタ装置８の前述した線状突起５１２ｂが嵌合し他の案内溝１ｂにはコネクタ装置８の前述した線状突起５１１ｂが嵌合するので、該ＣＦカード３を各ガイド部８１１，８１２ひいてはコネクタ装置８の最奥部まで挿入することができる。
【０１８０】
そして上記ＣＦカード３をコネクタ装置８に挿入した初期の時点では、コネクタ装置８の上記接続コンタクト８３ｅがＣＦカード３の側壁面１′上を摺動し、また他方の図示されない接続コンタクト８２ｅがＣＦカード３の側壁面１″上を摺動することは前記コネクタ装置７の場合と同様である。
【０１８１】
そしてＣＦカード３が該コネクタ装置８の最奥図に到達すると、図（１９−２）の(2)で示す如く、コネクタ装置８の上記接続コンタクト８３ｅがＣＦカード３の上記台形状凹部３ａに到達し、また該コネクタ装置８の図示されない接続コンタクト８２ｅがＣＦカード３の他方の台形状凹部３ａに到達するが、この時点で各接続コンタクト８２ｅ，８３ｅと該台形状凹部３ａに露出するシールド板１３２の舌片１３２ｂとの接続が実現する。
【０１８２】
そして、この場合の該シールト板１３２はＣＦカード３の両面に配置されていると同時に上記舌片１３２ｂによって各シールド板間が導通していることは前述した通りである。
【０１８３】
従って、上記コネクタ装置８を前述したように実装基板５６に実装した後に上記ＣＦカード３を挿入することで、上記各シールド板１３２を上記接地端子８２，８３を介して接地電位に繋げることができる。
【０１８４】
なお、上記ＣＦカード３を抜くと、上記シールド板１３２と接地端子８２，８３間の導通がなくせることから、シールド板の接地電位への接続が解除できることは明らかである。
【０１８５】
かかる構成になるＣＦカード３とコネクタ装置８では、ＣＦカードやコネクタ装置としてのシールド効果と共に外部電磁界や静電気の遮蔽効果が得られると共に、上述した如くＣＦカード３による接地端子８２，８３のコネクタ筐体８１からの脱落が抑制できることから寿命長期化による更なる生産性向上が図れるメリットがある。
【０１８６】
なお、上述した接地端子７２，７３や８２，８３における各接続端子７２ｃ，７３ｃ，８２ｃ、８３ｃを単なる舌片状から孔付きや切り欠け付き等に変えると、実装基板５６に対するはんだ接続領域を増やせることから実装基板に対するはんだ接続の確実化が実現できるメリットがある。
【図面の簡単な説明】
【０１８７】
【図１】本発明になるＣＦカードの一例を説明する図。
【図２】図１におけるソケットを内設回路基板と共に説明する図。
【図３】本発明になるコネクタ装置を説明する図。
【図４】図１のＣＦカードと図３のコネクタ装置との接続状態を説明する図。
【図５】本発明になるＣＦカードの応用例を説明する図。
【図６】図５のＣＦカードに対応するコネクタ装置を説明する図。
【図７】図６のコネクタ装置における第１の接地端子を説明する図。
【図８】図６のコネクタ装置における第２の接地端子を説明する図。
【図９】図６のコネクタ筐体を説明する図（その１）。
【図１０】図６のコネクタ筐体を説明する図（その２）。
【図１１】接地端子のコネクタ筐体への装着工程を説明する図。
【図１２】図５のＣＦカードと図７のコネクタ装置との接続状態を説明する図。
【図１３】図５のＣＦカードに対応する他のコネクタ装置を説明する図。
【図１４】図１３のコネクタ装置における第１の接地端子を説明する図。
【図１５】図１３のコネクタ装置における第２の接地端子を説明する図。
【図１６】図１３のコネクタ筐体を説明する図（その１）。
【図１７】図１３のコネクタ筐体を説明する図（その２）。
【図１８】図１３の各接地端子のコネクタ筐体への装着工程を説明する図。
【図１９】図５のＣＦカードと図１３のコネクタ装置との接続状態を説明する図。
【図２０】従来のＣＦカードの一例を概略的に説明する図。
【図２１】図２０におけるソケットを内設回路基板と共に説明する図。
【図２２】図２０の第１フレームを説明する図。
【図２３】図２０のシールド板を説明する図。
【図２４】図２０の第１フレーム完成体を説明する図。
【図２５】図２０の第２フレームを説明する図。
【図２６】図２０の第２フレーム完成体を説明する図。
【図２７】図２０のＣＦカードの組立状態を説明する図。
【図２８】従来のコネクタ装置を概略的に説明する図。
【図２９】従来のＣＦカードとコネクタ装置間の接続状態を説明する図。
【図３０】従来のＣＦカードにおける問題点を説明する図。
【図３１】従来のコネクタ装置における問題点を説明する図。
【符号の説明】
【０１８８】
１′，１″  側壁面
１ａ，１ｂ  案内溝
２，３      コンパクトフラッシュ（登録商標）カード
３ａ        台形状凹部
６，７，８    コネクタ装置
１２        内設回路基板
１２′      端辺
１３        第１フレーム
１４        第２フレーム
２１        ソケット
５２，５２-1，５２-2      プラグ端子
５２ａ      プラグコンタクト
５２ｃ      接続コンタクト
６１        コネクタ筐体
６１ａ      突起
７１，８１        コネクタ筐体
７２        第１の接地端子
７２ａ      固定片
７２ａ′    折り曲げ域
７２ｂ      接触片
７２ｃ      接続端子
７２ｄ      固着部
７２ｄ′    小突起
７２ｅ      位置決め部
７２ｅ′    バルジ
７２ｆ      舌片域
７２ｆ′    中間線
７２ｇ      接続コンタクト
７３        第２の接地端子
７３ａ      固定片
７３ａ′    折り曲げ域
７３ｂ      接触片
７３ｃ      接続端子
７３ｄ      固着部
７３ｄ′    小突起
７３ｅ      位置決め部
７３ｅ′    バルジ
７３ｆ      舌片域
７３ｆ′    中間線
７３ｇ      接続コンタクト
８２        第１の接地端子
８２ａ      固定片
８２ａ′    小突起
８２ｂ      突出片
８２ｃ      接続端子
８２ｃ′    小突起
８２ｄ      舌片域
８２ｅ      接続コンタクト
８３        第２の接地端子
８３ａ      固定片
８３ａ′    小突起
８３ｂ      突出片
８３ｃ      接続端子
８３ｃ′    小突起
８３ｄ      舌片域
８３ｅ      接続コンタクト
１１１      ソケット端子
１３２      シールド板
１３２ｂ    舌片
２１１      絶縁体
２１１ａ    突起
２１１ａ′  位置決め突起
２１１ａ″  突起先端面
２１１ｂ    底面
５１１      ガイド部
５１１ｂ    線状突起
５１１ｃ    端面
５１１ｅ    突起
５１１ｆ    ねじ孔
５１２      ガイド部
５１２′    外面
５１２ｂ    線状突起
５１２ｃ    端面
５１２ｅ    突起
５１２ｆ    ねじ孔
５１３ａ    端子孔
６１１      ガイド部
６１２      ガイド部
７１１      ガイド部
７１１ａ    接地端子固定部
７１２      ガイド部
７１２ａ    接地端子固定部
７１２ｂ    凹の段差面
７１２ｃ    圧入溝
７１２ｄ    凹溝
７１２ｅ    切り込み
７１２ｆ    傾斜面
７１２ｇ    突起
７１２ｇ′  端面
８１１      ガイド部
８１１ａ    接地端子固定部
８１２      ガイド部
８１２ａ    接地端子固定部
８１２ｂ    固着孔
８１２ｃ    スリット溝
８１２ｄ    切り込み部
８１２ｅ    斜面
【図１】
2006351033.tif 000003
【図２】
2006351033.tif 000004
【図３】
2006351033.tif 000005
【図４】
2006351033.tif 000006
【図５】
2006351033.tif 000007
【図６】
2006351033.tif 000008
【図７】
2006351033.tif 000009
【図８】
2006351033.tif 000010
【図９】
2006351033.tif 000011
【図１０】
2006351033.tif 000012
【図１１】
2006351033.tif 000013
【図１２】
2006351033.tif 000014
【図１３】
2006351033.tif 000015
【図１４】
2006351033.tif 000016
【図１５】
2006351033.tif 000017
【図１６】
2006351033.tif 000018
【図１７】
2006351033.tif 000019
【図１８】
2006351033.tif 000020
【図１９】
2006351033.tif 000021
【図２０】
2006351033.tif 000022
【図２１】
2006351033.tif 000023
【図２２】
2006351033.tif 000024
【図２３】
2006351033.tif 000025
【図２４】
2006351033.tif 000026
【図２５】
2006351033.tif 000027
【図２６】
2006351033.tif 000028
【図２７】
2006351033.tif 000029
【図２８】
2006351033.tif 000030
【図２９】
2006351033.tif 000031
【図３０】
2006351033.tif 000032
【図３１】
2006351033.tif 000033